Podtech/llm-jp-corpus-v4-ja_patent huggingface dataset:
【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
収集したマルチメディア情報と地図上での収集場所とが対応付けられたベータベースを作成するためのマルチメディア情報を収集するマルチメディア情報端末装置であり、
可搬型情報処理機器と、被写体を撮影する画像入力機器と、音声情報を収録する音声収録機器と、経度緯度で表された座標情報及び時間情報を含むＧＰＳ情報を出力するＧＰＳ装置と、移動通信無線機とを一体型に収納及び接続してなり、
前記可搬型情報処理機器に、前記画像入力機器で撮影した被写体の画像情報と前記音声収録機器で収録した音声情報とのマルチメディア情報並びにマルチメディア情報を収集したときに前記ＧＰＳ装置から出力しているＧＰＳ情報を取り込む機能と、前記移動通信無線機で回線接続している通信相手に同時に収集したマルチメディア情報とＧＰＳ情報とを１組にした送信データを送出する機能とを備えたことを特徴とするマルチメディア情報端末装置。
【請求項２】
請求項１記載のマルチメディア情報端末装置において、
前記可搬型情報処理機器に、前記画像入力機器から取り込んだ画像情報、前記音声収録機器から取り込んだ音声情報及び前記ＧＰＳ装置から取り込んだＧＰＳ情報をファイル形式で保存する機能と、前記画像情報、音声情報及びＧＰＳ情報の各ファイル名をＧＰＳ情報の時間情報を使用して作成する機能とを備えたことを特徴とするマルチメディア情報端末装置。
【請求項３】
請求項１又は請求項２に記載のマルチメディア情報端末装置において、
前記可搬型情報処理機器に指令を与えるための操作スイッチと、前記移動通信無線機を予め決められた通信相手へ回線接続するオートダイヤル機能とを備え、
マルチメディア情報及びＧＰＳ情報の取り込みから通信相手へ送信するまでの一連の処理を自動化し、この自動化された一連の処理を前記操作スイッチのオン操作によって開始することを特徴とするマルチメディア情報端末装置。
【請求項４】
無線回線を介して信号の送受信を行う通信無線部と、
被写体を撮影するための画像入力機器部と、
音声情報を収録するための音声収録機器部と、
経度緯度で表された座標情報及び時間情報を含むＧＰＳ情報を出力するＧＰＳ装置部と、
前記画像入力機器部で撮影した被写体の画像情報、前記音声収録機器で収録した音声情報、及びＧＰＳ装置から出力しているＧＰＳ情報を関連付けた送信データを作成し、前記移動通信無線部を介して通信相手に送信する前記情報処理部と
を備えたことを特徴とするマルチメディア情報端末装置。
【請求項５】
請求項４に記載のマルチメディア情報端末装置において、
前記マルチメディア情報端末装置には、操作スイッチ部が設けられ、
前記画像情報、前記音声情報、及び前記ＧＰＳ情報の取り込みから通信相手へ送信するまでの一連の処理を自動化し、この自動化された一連の処理を前記操作スイッチ部のオン操作によって開始することを特徴とするマルチメディア情報端末装置。
【手続補正２】
【補正対象書類名】明細書
【補正対象項目名】００１２
【補正方法】変更
【補正の内容】
【００１２】
本発明は、可搬型情報処理機器に指令を与えるための操作スイッチと、前記移動通信無線機を予め決められた通信相手へ回線接続するオートダイヤル機能とを備え、前記操作スイッチのオン操作によってマルチメディア情報及びＧＰＳ情報の取り込みから通信相手へ送信するまでの一連の処理を自動化した。
更に、本発明は、無線回線を介して信号の送受信を行う通信無線部と、被写体を撮影するための画像入力機器部と、音声情報を収録するための音声収録機器部と、経度緯度で表された座標情報及び時間情報を含むＧＰＳ情報を出力するＧＰＳ装置部と、前記画像入力機器部で撮影した被写体の画像情報、前記音声収録機器で収録した音声情報、及びＧＰＳ装置から出力しているＧＰＳ情報を関連付けた送信データを作成し、前記移動通信無線部を介して通信相手に送信する前記情報処理部とを備える。
本発明によれば、取り込んだ画像情報と音声情報に当該情報収集時に取り込んだＧＰＳ情報が付加して送信データを作成するので、取り込んだ画像情報と音声情報と地図上での表示位置とを容易に対応付けることができる。
【手続補正３】
【補正対象書類名】明細書
【補正対象項目名】００３２
【補正方法】変更
【補正の内容】
【００３２】
以上の説明では、現場でのディジタルスチルカメラ１やマイク２の簡単な操作を作業員が行っていたが、カメラのシャッター動作に連動して完全自動でデータベースを作成することができる。


【手続補正４】
【補正対象書類名】明細書
【補正対象項目名】符号の説明
【補正方法】変更
【補正の内容】
【符号の説明】
１…ディジタルスチルカメラ
２…マイク
３…ＧＰＳ装置
４…可搬型ＰＣ
５…携帯電話
６…情報格納用ＨＤＤ
７…操作スイッチ
８…イヤホン
９…電話回線網
１０…センタ
１１…ワークステーション
１２…データベース装置
【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
立方形状の箱に各部を収納し、前記箱の前面板にはカードを立てた状態で一枚毎に挿入させるカード挿入口と、前記カードに代わる券を返却する返却口とを備え、かつ背面板が開閉する記録単体自動回収装置において、
前記カード挿入口に先端が連結され後端が前記背面板に向けられて、前記カードの挿入に伴ってカードを立てた状態のまま、所定間隔で内部に搬送し、前記後端に到達する前に表裏の汚れ、脂成分を除去して排出するカード搬送部と、
上面が開口されて前記カード搬送部の後端の下方に設けられ、前記カードを受け取る収納袋と、
前記カード搬送部の所定位置の側面にアンテナを設け、このアンテナから電波を放射して前記カードの内部データを読み取り、又は前記アンテナから電波を放射して前記カードの内部データを消去させるカード読み取り部と、
前記返却口に券の収納口が連結されて前記返却口から一枚毎に返却させ、また前記券が収納されるときは、前記返却口との連結を解除して前記背面側に収納口を向ける券払い出し部と、
前記各部に所定温度の温風を送付するヒータ部と、
前記各部を制御しながら状況を監視し、前記カード搬送部の所定位置にカードが位置した場合は、前記カードの内部データを読み込ませて内部データを判断し、該内部データが所定条件を満たしている場合は、内部データを消去させて前記後端に搬送させると共に、前記カードの種類毎に枚数を集計し、かつ前記券を返却させる制御部と
を有することを特徴とする記録単体自動回収装置。
【請求項２】
前記カード搬送部は、複数のローラからなる搬送系を直線的に所定数連結して構成され、最後尾の手前の搬送系の搬送軸の一方の側面に、着脱自在なフェルトを垂直に設け、かつ前記最後尾の搬送系の搬送軸の他方の側面に前記フェルトを垂直に設けたことを特徴とする請求項１記載の記録単体自動回収装置。
【請求項３】
前記券払い出し部は、
前記返却口に前記収納口が連結され、下面の中央部に連結穴を備えて、前記券を一枚毎に払い出す収納部と、
溝付きバーを上面に長手方向に設けて両側面を垂直に立てた底板と、この底板の両側面に摺動自在に前記収納部を搭載する板台と、この板台と底板の間に設けられ、前記収納部の連結穴に連結されて前記溝付きバーと噛み合う丸型ギヤと、前記板台の背面パネル側に固着されたレバーとからなる収納台反転機構部と
を組み合わせてなることを特徴とする請求項１乃至２記載の記録単体自動回収装置。
【請求項４】
前記制御部は、
前記カードが前記アンテナの位置に来たことを検知すると、前記搬送を一旦停止させて前記カード読み込み部を駆動して前記内部データを判定し、該判定の後に前記カード挿入口からのカードを内部に取り込みさせることを特徴とする請求項１乃至３記載の記録単体自動回収装置。
【請求項５】
前記制御部は、
前記カード搬送部のカードの内部データが所定の条件を満足していないときは、前記カード搬送部の搬送を前記取り込んだカードが前記カード挿入口に返送されるまで逆搬送させることを特徴とする請求項１乃至４記載の記録単体自動回収装置。
【請求項６】
前記制御部は、
前記カードの種類毎の回収ファイルを有し、前記所定条件を満足するカードの種類に対応する回収ファイルが存在するとき、その回収ファイルの枚数と回収時間を更新すると共に、前記収納されている券枚数を更新することを特徴とする請求項１乃至５記載の記録単体自動回収装置。
【請求項７】
前記制御部は、
外部との通信を行う通信制御手段を有し、該通信制御手段が現在の状況を転送させる命令を示しているときは、前記監視制御している各部の状況又は前記全ての回収ファイルのデータ及び券枚数を所定の形式で送信することを特徴とする請求項１乃至６記載の記録単体自動回収装置。
【請求項８】
前記制御部は、前記外部からの年月日と時刻を受信したときは、この年月日、時刻を内部に設定することを特徴とする請求項１乃至７記載の記録単体自動回収装置。
【請求項９】
カードを挿入させるカード挿入部と、
前記挿入されたカードの表面の汚れ等を除去する汚れ除去部と、
前記カードの内部データを非接触で読み取り又は消去するカード読み取り部と、
前記カードに代わる券を返却する返却部と、
前記カードを収納する収納部とを有することを特徴とする記録単体自動回収装置。
【手続補正２】
【補正対象書類名】明細書
【補正対象項目名】０００１
【補正方法】変更
【補正の内容】
【０００１】
【発明の属する技術分野】
本発明は、遊技場、スキー場等に用いられる非接触のＩＣカードを回収して代わりに券を自動発行する記録単体自動回収装置に関する。


【手続補正３】
【補正対象書類名】明細書
【補正対象項目名】０００２
【補正方法】変更
【補正の内容】
【０００２】
【従来の技術】
近年、スキー場等においては、非接触のカードに各設備の利用許可情報等を登録し、このカードを携帯したスキーヤがゲートを通過したとき、利用できるスキーヤかどうかを判定して、自動的に改札業務を行うシステムが配置されるようになってきている。このようなカードは、スキーヤによって販売所にて購入されるが、購入時にはスキーヤに預かり金を支払ってカードを購入させ、このカードの返却があったときは預かり金を返却するのが一般的である。


【手続補正４】
【補正対象書類名】明細書
【補正対象項目名】００１４
【補正方法】変更
【補正の内容】
【００１４】
すなわち、挿入されたカードを垂直搬送させてアンテナによって非接触で内部データを読み込んでいるので、表裏の判定をしなくとも内部データを判定して枚数をカウントして券を返却させることが可能となると共に、表裏の汚れ、脂肪を除去して収納袋に投函させることが可能となる。


【手続補正５】
【補正対象書類名】明細書
【補正対象項目名】００２９
【補正方法】変更
【補正の内容】
【００２９】
請求項８においては、制御部は、外部からの年月日と時刻を受信したときは、この年月日、時刻を内部に設定する。このため、外局との同期をとって回収処理が可能となる。
請求項９は、カードを挿入させるカード挿入部と、前記挿入されたカードの表面の汚れ等を除去する汚れ除去部と、前記カードの内部データを非接触で読み取り又は消去するカード読み取り部と、前記カードに代わる券を返却する返却部と、前記カードを収納する収納部とを有することを要旨とする。
【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
被検出体を検出したとき、電波を放射して該被検出体が担持している非接触の記録媒体の内部データを受信又は前記記録媒体に書込する非接触の検出装置の近傍に配置される改札機において、
前記被検出体の押圧に対して所定角度範囲で追動するフラッパを、前記被検出体が当該機の後方に向かう経路を阻止する方向に取り付け、前記被検出体の通過許可信号が入力したとき前記フラッパを前記経路から排除し、また前記被検出体が当該機を出たとき前記フラッパを前記経路を阻止する方向に復帰させるフラッパ制御部と、
前記当該機の後部の前記被検出体を検出する位置に設けられ、前記被検出体を検出したとき検出信号を送出する検出器と、
前記非接触の検出装置が前記被検出体を検出したとき、前記電波を放射させ、前記被接触の検出装置から前記記録媒体の内部データが送出されると、該内部データが正規のデータの場合は、前記通過許可信号を出力すると共に使用実績の更新を行って前記非接触の検出装置に電波を放射させて前記更新値を前記記録媒体に書込させ、前記検出器から前記検出信号が入力したとき、前記被検出体が当該機を出たと判定する主制御部と
を有することを特徴とする改札機。
【請求項２】
当該機の最上部で、かつ前記フラッパの手前に、磁気記録媒体を挿入させる挿入口を設け、挿入された磁気記録媒体を内部に取り込み、正規の一回券の場合は、この磁気記録媒体を後端から投函させて回収する磁気記録媒体読み取り部とを有することを特徴とする請求項１記載の改札機。
【請求項３】
前記記磁気録媒体読み取り部は、前記挿入口に連結される入力端を低くし後端を高くして当該機の最上部に設けられていることを特徴とする請求項２記載の改札機。
【請求項４】
複数の磁気表示器を、平板に鋸歯状に直線的に配列した磁気表示器部を、前記経路側に、その表示面を向けて回動自在に当該機の最上部に設けたことを特徴とする請求項１乃至３記載の改札機。
【請求項５】
前記フラッパ制御部は、
直線状のフラッパを、円柱形状のバネで連結し、該バネの端部を箱型の連結箱に固着し、該連結箱を駆動部の回転軸に一辺が固着されたコの字形状の挟板で前記連結箱を、水平方向に回動自在に挟んで連結していることを特徴とする請求項１乃至４記載の改札機。
【請求項６】
前記連結箱と前記挟板とは、それぞれの上面と下面とがコイルバネをとうしたピンで連結され、かつ前記バー側の後方を向く前記連結箱の面縁と、この面の隣りとなる挟板の縁に、前記ピンの幅分を有する開口を形成するための側板を前記両縁に設けて、前記コイルバネの端を前記両縁に引っかけて形成されていることを特徴とする請求項５記載の改札機。
【請求項７】
前記主制御部は、前記磁気記録媒体読み取り部が磁気記録媒体の挿入を検出すると、この磁気記録媒体の内部データを判定し、所定のデータが書き込まれているとき、前記投函させると共に、この磁気記録媒体の券種を計数することを特徴とする請求項１乃至６記載の改札機。
【請求項８】
前記記録媒体の内部データは、当該機が改札を行う設備、場所の使用を許可するための基本データと、前記記録媒体の使用実績データとからなり、前記主制御部は、
前記記録媒体の内部データが送出されたとき、予め記憶されている基本データと前記基本データとが一致し、かつ前記使用実績データの残度数又は残時間が所定の値を満足しているとき前記正規のデータと判定することを特徴とする請求項１乃至７記載の改札機。
【請求項９】
前記主制御部は、前記一致で残度数又は残時間を満足すると判定したときは、前記使用実績データの残度数又は残時間を更新して、該更新値を前記被接触の検出装置から放射させると共に、前記磁気表示器部に送出して表示させることを特徴とする請求項１乃至８記載の改札機。
【請求項１０】
前記主制御部は、
会社毎の券種に対応する使用実績カウンタを備え、前記内部データが正規のデータと判定したとき前記記録媒体の基本データが示す券種に対応する会社の券種の使用実績カウンタを更新することを特徴とする請求項１乃至９記載の改札機。
【請求項１１】
前記使用実績データを書込み更新するにあたり、前記使用実績データが、今回の更新時点より以前に遡って所定の書込み更新サイクルにおいて書込み更新されていないことを条件に、書込み更新を行うことを特徴とする請求項１乃至１０記載の改札機。
【請求項１２】
前記主制御部は、
外部のコントローラからの命令を受信して解読し、該解読した命令に応じた処理を行って前記外部のコントローラに、所望のデータを送信する通信機能を有することを特徴とする請求項１乃至１１記載の改札機。
【手続補正２】
【補正対象書類名】明細書
【補正対象項目名】００３２
【補正方法】変更
【補正の内容】
【００３２】
請求項１２は、主制御部は、外部のコントローラからの命令を受信して解読し、解読した命令に応じた処理を行って外部のコントローラに、所望のデータを送信する通信機能を有することを要旨とする。
【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
非接触の検出装置と該非接触の検出装置とは分割されて、その近傍に配置された改札機とからなる複数の改札ゲートと、これらの改札ゲートを監視しながら制御するゲートコントローラとを備えた改札システムであって、
前記ゲートコントローラは、
前記複数の改札ゲートの改札機のうち、運用可能な改札ゲートに被検出体が担持している非接触の記録媒体を判定するための基本データを転送した後に、この改札ゲートの改札状況を転送させて表示し、
前記非接触の検出装置は、前記被検出体の検出を前記改札機に知らせると共に、電波を放射して被検出体が担持している非接触の記録媒体の内部データを受信又は前記記録媒体に書込み、
前記改札機は、前記内部データを判定して前記被検出体を通過又は阻止すると共に改札状況を前記ゲートコントローラに転送する
ことを特徴とする改札システム。
【請求項２】
前記改札機は、
前記被検出体の押圧に対して所定角度範囲で追動する阻止棒を、前記被検出体が当該機の後方に向かう経路を阻止する方向に取り付け、前記被検出体の通過を許可したときは前記阻止棒を前記経路から排除し、また前記被検出体が当該機を出たときは前記阻止棒を前記経路を阻止する方向に復帰させることを特徴とする請求項１記載の改札システム。
【請求項３】
前記改札機は、
複数の磁気表示器を平板に鋸歯状に直線的に配列した磁気表示部を、前記被検出体の通過経路側に表示面を向けて回動自在に設けていることを特徴とする請求項１又は２記載の改札システム。
【請求項４】
前記改札機は、
前記改札ゲートを通過する被検出体から見て、前記非接触の検出装置の後方に、その厚み分、前記経路側に離され、かつ前記阻止棒側と前記非接触の検出装置との間は前記被検出体の横幅分だけ離されて配置されていることを特徴とする請求項１、２又は３記載の改札システム。
【請求項５】
前記ゲートコントローラは、
メモリカードのデータを読み込み又はデータを書込みするメモリカードリーダを備え、このメモリカードリーダへの前記メモリカードの挿入に伴って該メモリカードのデータを前記改札機に転送することを特徴とする請求項１、２、３又は４記載の改札システム。
【請求項６】
前記ゲートコントローラは、
前記改札状況の一種である通過数を集計するときは、前記複数の改札ゲートの改札機の動作確認を行い、運用を停止している改札機に対して現在までの通過数を会社毎に、かつ券種毎に転送させることを特徴とする請求項１、２、３、４又は５記載の改札システム。
【請求項７】
前記ゲートコントローラは、
前記改札ゲートが前記記録媒体の内部データを判定して通過阻止を転送してきたとき、通過許可指示が入力されると、その改札ゲートの改札機に対して通過許可を転送することを特徴とする請求項１、２、３、４、５又は６記載の改札システム。
【手続補正２】
【補正対象書類名】明細書
【補正対象項目名】０００８
【補正方法】変更
【補正の内容】
【０００８】
【課題を解決するための手段】
請求項１は、非接触の検出装置と非接触の検出装置とは分割されて、その近傍に配置された改札機とからなる複数の改札ゲートと、これらの改札ゲートを監視しながら制御するゲートコントローラとを備えた改札システムであって、ゲートコントローラは、複数の改札ゲートの改札機のうち、運用可能な改札ゲートに被検出体が担持している非接触の記録媒体を判定するための基本データを転送した後に、この改札ゲートの改札状況を転送させて表示し、非接触の検出装置は、被検出体の検出を改札機に知らせると共に、電波を放射して被検出体が担持している非接触の記録媒体の内部データを受信又は記録媒体に書込み、改札機は、内部データを判定して被検出体を通過又は阻止すると共に改札状況をゲートコントローラに転送することを要旨とする。
【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
文書相互間のリンク情報および文書構成要素相互間のリンク情報が埋め込まれた文書データを機器相互間で転送する際、この文書データを一時保管する一時保管手段を有して機器相互間で処理能力に関する情報を交換するプロトコルを規定しているネットワークシステムにおいて、
上記一時保管手段が、
文書相互間のリンク情報および文書構成要素相互間のリンク情報を文書データから抽出する抽出手段と、
上記ネットワークシステム内の機器からの要求に対して、上記抽出手段で抽出されたリンク情報を送信する送信手段と、
を具備したことを特徴とするネットワークシステム。
【請求項２】
文書相互間のリンク情報および文書構成要素相互間のリンク情報が埋め込まれた文書データを機器相互間で転送する際、この文書データを一時保管する一時保管手段を有して機器相互間で処理能力に関する情報を交換するプロトコルを規定しているネットワークシステムにおいて、
上記一時保管手段が、
文書相互間のリンク情報および文書構成要素相互間のリンク情報を文書データから抽出する抽出手段と、
この抽出手段で抽出されたリンク情報に基づいてリンク先の文書の存在と有効性を確認する確認手段と、
上記ネットワークシステム内の機器からの要求に対して、上記確認手段でリンク先の文書の存在と有効性を確認した結果を送信する送信手段と、
を具備したことを特徴とするネットワークシステム。
【請求項３】
文書相互間のリンク情報および文書構成要素相互間のリンク情報が埋め込まれた文書データを機器相互間で転送する際、この文書データを一時保管する一時保管手段を有して機器相互間で処理能力に関する情報を交換するプロトコルを規定しているネットワークシステムにおいて、
上記一時保管手段が、
文書を再現するために必要な文書属性情報を文書データから抽出する抽出手段と、
上記ネットワークシステム内の機器からの要求に対して、上記抽出手段で抽出された文書属性情報を送信する送信手段と、
を具備したことを特徴とするネットワークシステム。
【請求項４】
文書相互間のリンク情報および文書構成要素相互間のリンク情報が埋め込まれた文書データを機器相互間で転送する際、この文書データを一時保管する一時保管手段を有して機器相互間で処理能力に関する情報を交換するプロトコルを規定しているネットワークシステムにおいて、
上記一時保管手段が、
転送先の機器が文書を再現するために十分な機能または性能を持つか否かを判断する判断手段と、
この判断手段で文書を再現するために十分な機能または性能を持たないと判断された場合、再現できない部分の文書データは転送しないように制御するか、または再現できない部分の文書データを再現できる文書データに変換して転送する制御を行う制御手段と、
を具備したことを特徴とするネットワークシステム。
【請求項５】
機器相互間で処理能力に関する情報を交換するプロトコルを規定しているネットワークシステムにおいて、
転送先の機器が文書を再現するために必要な機能または性能に関する情報を、転送元の機器に対して送信することを特徴とするネットワークシステム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
この発明のネットワークシステムは、文書相互間のリンク情報および文書構成要素相互間のリンク情報が埋め込まれた文書データを機器相互間で転送する際、この文書データを一時保管する一時保管手段を有して機器相互間で処理能力に関する情報を交換するプロトコルを規定しているネットワークシステムにおいて、上記一時保管手段が、転送先の機器が文書を再現するために十分な機能または性能を持つか否かを判断する判断手段と、この判断手段で文書を再現するために十分な機能または性能を持たないと判断された場合、再現できない部分の文書データは転送しないように制御するか、または再現できない部分の文書データを再現できる文書データに変換して転送する制御を行う制御手段とから構成されている。


【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正書】
【提出日】平成15年9月1日(2003.9.1)
【手続補正１】
【補正対象書類名】明細書
【補正対象項目名】特許請求の範囲
【補正方法】変更
【補正の内容】
【特許請求の範囲】
【請求項１】
下部磁性膜と、該下部磁性膜上に積層され一端が前記下部磁性膜に連らなり他端が前記下部磁性膜に磁気ギャップを介して対向し、前記下部磁性膜と共に磁気回路を形成する上部磁気コアと、前記下部磁性膜と上部磁気コアとの間に設けられた導体コイルと、前記下部磁性膜，上部磁気コア及び導体コイルを互いに電気的に絶縁する絶縁膜とを具備する薄膜磁気ヘッドにおいて、前記絶縁膜はフォトレジストと架橋剤と前記フォトレジストと前記架橋剤との架橋促進剤を硬化させたものであることを特徴とする薄膜磁気ヘッド。
【請求項２】
前記架橋剤が、メラミン及びエポキシの１種以上である請求項１に記載の薄膜磁気ヘッド。
【請求項３】
前記架橋促進剤が酸を発生させる有機化合物からなる請求項１または２に記載の薄膜磁気ヘッド。
【請求項４】
前記架橋促進剤は加熱によって酸を発生させる有機化合物からなる請求項３に記載の薄膜磁気ヘッド。
【請求項５】
前記架橋促進剤が、ブロモアセチルベンゼン、ｐ−ビス（ブロモアセチル）ベンゼン、ｍ−ビス（ブロモアセチル）ベンゼン、１，３，５−トリス（ブロモアセチル）ベンゼン、１，３，５−トリス（ジブロモアセチル）ベンゼン、及び１，３，５−トリス（クロロアセチル）ベンゼンである請求項１〜４のいずれかに記載の薄膜磁気ヘッド。
【請求項６】
前記フォトレジストは酸硬化性フェノール樹脂である請求項１〜５のいずれかに記載の薄膜磁気ヘッド。
【請求項７】
前記酸硬化性フェノール樹脂がノボラック樹脂である請求項６記載の薄膜磁気ヘッド。
【請求項８】
磁気抵抗効果型再生ヘッド上に磁気シールドを介して一体に形成された誘導型記録ヘッドとを有する記録再生分離型ヘッドにおいて、
前記記録ヘッドは前記磁気シールド上に積層され一端が前記磁気シールドに連らなり他端が磁気ギャップを介して対向し、前記磁気シールドと共に磁気回路を形成する上部磁気コアと、前記磁気シールドと上部磁気コアとの間に設けられた導体コイルと、前記磁気シールド，上部磁気コア及び導体コイルを互いに電気的に絶縁する絶縁膜とを具備し、該絶縁膜はノボラック樹脂を主成分とするフォトレジストと架橋剤と架橋促進剤からなり、
前記再生ヘッドは、非磁性層によって仕切られた強磁性体の第１及び第２磁性層と該磁性層のいずれかに接続して設けられた反強磁性層とを有し、記録媒体からの印加磁界がゼロである場合に前記強磁性体の第１磁性層の磁化方向が前記第２層の磁化方向に対し直交する方向であることを特徴とする記録再生分離型薄膜磁気ヘッド。
【請求項９】
情報を記録する磁気ディスクと、該磁気ディスクに前記情報の書き込みを行う誘導型記録ヘッド及び前記磁気ディスクに書き込まれた情報を再生する磁気抵抗効果型再生ヘッドが一体に形成された記録再生分離型薄膜磁気ヘッドと、前記ディスクを回転させる駆動手段とを備えたヘッド・ディスク・アセンブリにおいて、前記記録ヘッド又は／及び再生ヘッドは請求項１〜８のいずれかに記載の薄膜磁気ヘッドからなり、３Ｇbit／ｉｎ2以上の記録密度を有することを特徴とするヘッド・ディスク・アセンブリ。
【請求項１０】
情報を記録する磁気ディスクと、該磁気ディスクに前記情報の書き込みを行う誘導型記録ヘッド及び前記磁気ディスクに書き込まれた情報を再生する磁気抵抗効果型再生ヘッドが一体に形成された記録再生分離型薄膜磁気ヘッドと、前記ディスクを回転させる駆動手段とを備えたヘッド・ディスク・アセンブリを複数個有する磁気ディスク装置において、前記記録ヘッド又は／及び再生ヘッドが請求項１〜８のいずれかに記載の薄膜磁気ヘッドからなることを特徴とする磁気ディスク装置。
【請求項１１】
磁気抵抗効果型再生ヘッド上に磁気シールドを介して誘導型記録ヘッドを一体に形成する記録再生分離型ヘッドの製造法において、
前記再生ヘッドは、非磁性層によって仕切られた強磁性体の第１及び第２磁性層と該磁性層のいずれかに接して設けられた反強磁性層とを形成し、記録媒体からの印加磁界がゼロである場合に前記強磁性体の第１磁性層の磁化方向が前記第２層の磁化方向に対し直交する方向とする再生ヘッド製造工程と、
該再生ヘッド製造工程後に、前記磁気シールド上に一端が前記磁気シールドに連らなり他端が磁気ギャップを介して対向させて、前記磁気シールドと共に磁気回路を形成する上部磁気コアと、前記磁気シールドと上部磁気コアとの間に設けられた導体コイルと、前記磁気シールド，上部磁気コア及び導体コイルを互いに電気的に絶縁するフォトレジストと架橋剤と前記フォトレジストと前記架橋剤との架橋促進剤からなる絶縁膜とを形成する記録ヘッド製造工程とを有することを特徴とする記録再生分離型薄膜磁気ヘッドの製造法。
【手続補正書】
【提出日】平成15年11月6日(2003.11.6)
【手続補正１】
【補正対象書類名】明細書
【補正対象項目名】発明の名称
【補正方法】変更
【補正の内容】
【発明の名称】音声符号化装置及び音声復号化装置


【手続補正２】
【補正対象書類名】明細書
【補正対象項目名】特許請求の範囲
【補正方法】変更
【補正の内容】
【特許請求の範囲】
【請求項１】
複数個のシードを格納するシード格納部と、前記シード格納部が格納するシードの値に応じて異なるベクトル系列を出力する発振器と、前記ベクトル系列を音源ベクトルとして入力し且つＬＰＣ合成して合成音を出力するＬＰＣ合成フィルタ部と、を具備することを特徴とする音声符号化装置。
【請求項２】
前記発振器が、非線形発振器であることを特徴とする請求項１記載の音声符号化装置。
【請求項３】
前記非線形発振器が、非線形ディジタルフィルタであることを特徴とする請求項２記載の音声符号化装置。
【請求項４】
前記非線形ディジタルフィルタは、状態変数にゲインを乗ずる乗算器を有し、且つ、前記シード格納部から前記状態変数の初期値を入力するとともに、極がＺ平面における単位円外に存在するべく前記乗算器の係数を固定し、前記入力ベクトルがゼロ系列である再帰構造のディジタルフィルタであることを特徴とする請求項３記載の音声符号化装置。
【請求項５】
前記非線形ディジタルフィルタの非線形特性が２の補数加算特性により与えられることを特徴とする請求項４記載の音声符号化装置。
【請求項６】
複数個のシードを格納するシード格納部と、前記シード格納部が格納するシードの値に応じて異なるベクトル系列を出力する発振器と、前記ベクトル系列を音源ベクトルとして入力し且つＬＰＣ合成して合成音を出力するＬＰＣ合成フィルタ部と、を具備することを特徴とする音声復号化装置。
【請求項７】
前記発振器が、非線形発振器であることを特徴とする請求項６記載の音声復号化装置。
【請求項８】
前記非線形発振器が、非線形ディジタルフィルタであることを特徴とする請求項７記載の音声復号化装置。
【請求項９】
前記非線形ディジタルフィルタは、状態変数にゲインを乗ずる乗算器を有し、且つ、前記シード格納部から前記状態変数の初期値を入力するとともに、極がＺ平
面における単位円外に存在するべく前記乗算器の係数を固定し、前記入力ベクトルがゼロ系列である再帰構造のディジタルフィルタであることを特徴とする請求項８記載の音声復号化装置。
【請求項１０】
前記非線形ディジタルフィルタの非線形特性が２の補数加算特性により与えられることを特徴とする請求項９記載の音声復号化装置。
【手続補正３】
【補正対象書類名】明細書
【補正対象項目名】０１１５
【補正方法】変更
【補正の内容】
【０１１５】
【発明の実施の形態】
本発明は、複数個のシードを格納するシード格納部と、前記シード格納部が格納するシードの値に応じて異なるベクトル系列を出力する発振器と、前記ベクトル系列を音源ベクトルとして入力し且つＬＰＣ合成して合成音を得るＬＰＣ合成フィルタ部と、を具備することを特徴とする音声符号化装置及び音声復号化装置であり、固定ベクトルをそのまま固定符号帳（ＲＯＭ）に格納しておく必要がなくなるため、メモリ容量を大幅に削減するという作用を有する。


【手続補正４】
【補正対象書類名】明細書
【補正対象項目名】０１１６
【補正方法】変更
【補正の内容】
【０１１６】
ここで、前記発振器が、非線形発振器であっても、同様の作用を呈する。


【手続補正５】
【補正対象書類名】明細書
【補正対象項目名】０１１７
【補正方法】変更
【補正の内容】
【０１１７】
また、前記非線形発振器が、非線形ディジタルフィルタであっても、同様の作用を呈する。


【手続補正６】
【補正対象書類名】明細書
【補正対象項目名】０１１８
【補正方法】変更
【補正の内容】
【０１１８】
そして、前記非線形ディジタルフィルタは、状態変数にゲインを乗ずる乗算器を有し、且つ、前記シード格納部から前記状態変数の初期値を入力するとともに、極がＺ平面における単位円外に存在するべく前記乗算器の係数を固定し、前記入力ベクトルがゼロ系列である再帰構造のディジタルフィルタであることが好適である。


【手続補正７】
【補正対象書類名】明細書
【補正対象項目名】０１１９
【補正方法】変更
【補正の内容】
【０１１９】
そして、前記非線形ディジタルフィルタの非線形特性が２の補数加算特性により与えら
れるものであっても、同様の作用を呈する。


【手続補正８】
【補正対象書類名】明細書
【補正対象項目名】０１２０
【補正方法】削除
【補正の内容】
【手続補正９】
【補正対象書類名】明細書
【補正対象項目名】０１２１
【補正方法】削除
【補正の内容】
【手続補正１０】
【補正対象書類名】明細書
【補正対象項目名】０１２２
【補正方法】削除
【補正の内容】
【手続補正１１】
【補正対象書類名】明細書
【補正対象項目名】０１２３
【補正方法】削除
【補正の内容】
【手続補正１２】
【補正対象書類名】明細書
【補正対象項目名】０１２４
【補正方法】削除
【補正の内容】
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
多階調表示により画素ごとに輝度の異なる表示を行う平面表示装置の駆動方法において、
比較的低輝度領域に対応した階調間の輝度差を、比較的高輝度領域に対応した階調間の輝度差よりも小さくしたことを特徴とする平面表示装置の駆動方法。
【請求項２】
１フィールド単位で所望の輝度を表示すべく、所定の相対比の輝度に対応づけられた点灯時間を有する複数のサブフィールドの各々の点灯及び非点灯を制御することにより１フィールドにおける総点灯時間を階調制御して多階調表示を行う平面表示装置の駆動方法において、
階調を複数群に分割し、比較的低輝度領域に対応した階調群は、比較的高輝度領域に対応した階調群よりも、階調間の輝度差が小さくされたことを特徴とする平面表示装置の駆動方法。
【請求項３】
１フィールド単位で所望の輝度を表示すべく、所定の相対比の輝度に対応づけられた点灯時間を有する複数のサブフィールドから点灯するサブフィールドの組み合わせを選択することにより１フィールドにおける総点灯時間を階調制御して多階調表示を行う平面表示装置の駆動方法において、
階調を複数位の階調群に分割し、かつ、原画像データがこれら階調群のいずれに属するかにより、前記階調群の各位にそれぞれ対応づけられた各選択方法のうちのいずれかの選択方法を採用して所定の相対比の輝度を有する複数のサブフィールドからそれよりも少ない複数のサブフィールドを選択し、このように選択された各サブフィールドに原画像データの各ビットを割り当て、各々のサブフィールドの点灯及び非点灯を制御することにより、比較的低輝度領域に対応した階調群に属する階調間の輝度差を、比較的高輝度領域に対応した階調群に属する階調間の輝度差よりも小さくしたことを特徴とする平面表示装置の駆動方法。
【請求項４】
１フィールド単位で所望の輝度を表示すべく、所定の相対比の輝度に対応づけられた点灯時間を有する複数のサブフィールドから点灯するサブフィールドの組み合わせを選択することにより１フィールドにおける総点灯時間を階調制御して多階調表示を行う平面表示装置の駆動方法において、
階調を下位２ｎ−２（ｎは自然数）階調及び上位２ｎ−１階調の２つの階調群に分割し、かつ、原画像データがこれらの階調群のいずれに属するかにより、前記下位階調群及び上位階調群に各々対応づけられた第１及び第２の選択方法のうちのいずれかの選択方法を
採用して所定の相対比の輝度を有するｎ＋１個のサブフィールドからｎ個のサブフィールドを選択し、このように選択されたｎ個のサブフィールドの各々にｎビットの原画像データの各ビットを割り当て、各々のサブフィールドの点灯及び非点灯を制御することにより、比較的低輝度領域に対応した階調群に属する階調間の輝度差を、比較的高輝度領域に対応した階調群に属する階調間の輝度差よりも小さくしたことを特徴とする平面表示装置の駆動方法。
【手続補正書】
【提出日】平成15年6月18日(2003.6.18)
【手続補正１】
【補正対象書類名】明細書
【補正対象項目名】請求項５
【補正方法】変更
【補正の内容】
【請求項５】
下記一般式（ＩＢ）で示されることを特徴とする側鎖に重合性不飽和結合を有する請求項１記載の重合性不飽和結合含有電荷輸送性ポリエステル。
【化６】
2000264961.tif 000001
［式中、Ａ２  及びＢ２  の少なくとも一方は、下記式（ＩＩＢ）で表される電荷輸送性芳香族アミン残基を表し、
【化７】
2000264961.tif 000002
｛式中、Ｒ１ｂ及びＲ２ｂのうちの少なくとも一部は、アルケニル基、アルキニル基、アルケニルオキシ基、アルキニルオキシ基、または基：−ＣＨ＝ＣＨ２  ＣＯＯＲ４  （ただし、Ｒ４  は、水素原子、アルキル基または基：−Ｒ５  −Ｓｉ（Ｒ６  ）３  （ここで、Ｒ５  はアルキレン基を表し、Ｒ６  はアルコキシ基を表す。）を表し）を表し、その他のＲ１ｂ及びＲ２ｂは水素原子、アルキル基、アルコキシ基、置換アミノ基、置換または未置換の芳香族基、またはハロゲン原子を表し、Ｘは二価の芳香環含有炭化水素基を表し、Ｙ１  は、芳香環を有してもよい飽和脂肪族炭化水素基を表し、ｋは０または１を意味する。｝
他方は芳香環を有してもよい飽和脂肪族炭化水素基を表し、ｎは５ないし１０００の整数を意味する。］
【手続補正２】
【補正対象書類名】明細書
【補正対象項目名】００１５
【補正方法】変更
【補正の内容】
【００１５】
（２）第２の態様の電荷輸送性ポリエステルは、側鎖に重合性不飽和結合を含有するものであって、下記一般式（ＩＢ）で示される化合物である。
【化１３】
2000264961.tif 000003
［式中、Ａ２  及びＢ２  の少なくとも一方は、下記式（ＩＩＢ）で表される電荷輸送性芳香族アミン残基を表し、
【化１４】
2000264961.tif 000004
｛式中、Ｒ１ｂ及びＲ２ｂのうちの少なくとも一部は、アルケニル基、アルキニル基、アルケニルオキシ基、アルキニルオキシ基、または基：−ＣＨ＝ＣＨ２  ＣＯＯＲ４  （ただし、Ｒ４  は、水素原子、アルキル基または基：−Ｒ５  −Ｓｉ（Ｒ６  ）３  （ここで、Ｒ５  はアルキレン基を表し、Ｒ６  はアルコキシ基を表す。）を表し）を表し、その他のＲ１ｂ及びＲ２ｂは水素原子、アルキル基、アルコキシ基、置換アミノ基、置換または未置換の芳香族基、またはハロゲン原子を表し、Ｘは二価の芳香環含有炭化水素基を表し、Ｙ１  は、芳香環を有してもよい飽和脂肪族炭化水素基を表し、ｋは０または１を意味する。｝
他方は芳香環を有してもよい飽和脂肪族炭化水素基を表し、ｎは５ないし１０００の整数を意味する。］


【手続補正３】
【補正対象書類名】明細書
【補正対象項目名】００５７
【補正方法】変更
【補正の内容】
【００５７】
【化２４】
2000264961.tif 000005
（式中、Ａ３  ′、Ｂ３  ′は、式（ＩＩＣ）におけるＲ１ａおよびＲ２ａの少なくとも一方が水素原子を表わす以外はＡ３  、Ｂ３  と同意義を有する。また、Ｄ、ｎは、前記と同意義を有する。）
上記一般式（ＩＤ）において、Ａ３  ′は、特に、下記式（ＶＩＩＩ）で示される基であり、具体的には、下記一般式（ＩＤ−１）で示されるポリエステルである。
【手続補正書】
【提出日】平成15年12月19日(2003.12.19)
【手続補正１】
【補正対象書類名】明細書
【補正対象項目名】０００３
【補正方法】変更
【補正の内容】
【０００３】
上記構成のプリンタ装置においては、用紙排出口２２から連続用紙５が排出されているときには、スタッカテーブル３０が絶えず上昇または下降しているために、このスタッカテーブル３０の移動が用紙排出口２２から下向きに排出されている連続用紙５に適度な折り曲げ力、または伸び力を生じさせる。このような力は、連続用紙５をミシン目の位置で折れ曲がり易くする。したがって、上記構成のプリンタ装置によれば、スタッカテーブルを一定箇所に固定させているプリンタ装置や、スタッカテーブル上に積み重なった連続用紙の高さが高くなるに連れてスタッカテーブルを徐々に下降させるようにしただけのプリンタ装置よりも、連続用紙５をミシン目の位置において折り曲げる動作を確実なものにすることができる。
【手続補正書】
【提出日】平成15年12月19日(2003.12.19)
【手続補正１】
【補正対象書類名】明細書
【補正対象項目名】請求項２
【補正方法】変更
【補正の内容】
【請求項２】
少なくとも上記画像形成処理部を覆う筐体を具備しているとともに、この筐体の上面部に上記スタッカが設けられており、かつ上記カバーは、上記筐体または上記筐体に取付けられた固定部材に対して着脱可能とされている、請求項１に記載の画像形成装置。
【手続補正２】
【補正対象書類名】明細書
【補正対象項目名】００３２
【補正方法】変更
【補正の内容】
【００３２】
上記構成のプリンタ装置Ｐにおいては、画像形成処理部４を通過して片面印刷を終えたシートＳを排出ローラ３２に向けて搬送するか、あるいは反転ローラ７０ａ，７０ｂに向けて搬送するかによって、シートＳの片面のみの印刷と、両面印刷とのいずれかを選択して実行することができる。既に述べたとおり、シートＳに両面印刷を施すときには、スイッチバック搬送路７３にシートＳ（Ｓａ）が一旦導かれるものの、このシートＳ（Ｓａ）についてはカバー１によって覆うことができる。とくに、本実施形態では、カバー１の外部にシートＳ（Ｓａ）が一切はみ出さないようにすることができる。したがって、このシートＳ（Ｓａ）がユーザによって手で掴まれてしまうようなことはない。また、たとえばユーザがスタッカ５上に排出されているシートＳを取るときに、ユーザの手がその上方において高速で往復搬送されているシートＳ（Ｓａ）に触れないようにすることもできる。したがって、シートＳの両面印刷を適切に行うことができる。


【手続補正３】
【補正対象書類名】明細書
【補正対象項目名】００３８
【補正方法】変更
【補正の内容】
【００３８】
本願発明において用いられるカバーの具体的な構成は、上記実施形態に限定されない。たとえば、本願発明においては、カバーの全体を透明または半透明にするのではなく、カバーの一部分のみを透明または半透明にして、その部分からシートを目視できるようにしてもかまわない。もちろん、カバーの全体を不透明にしてもかまわない。また、スイッチバック搬送路の一部を外部に開放するための手段としては、たとえば図２に示したカバー１の上面部や下面部などの適当な箇所に開口窓を設けるといった手段を採用することもできる。本願発明でいうカバーは、要は、スイッチバック搬送路に導かれてきたシートがユーザなどによって誤って掴まれないように、スイッチバック搬送路の全体または一部分を覆う構成とされていればよい。したがって、本願発明においては、カバーが画像形成装置の所定箇所に対して取り外し困難な状態に設けられていてもかまわない。さらには、たとえば第２の筐体２Ｂなどの画像形成装置の筐体に対してカバーが一体的に形成されている構成としてもかまわない。
【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
遊技領域に配設された各入賞口毎に設けられて遊技球の入賞を検出する入賞センサと、
前記各入賞口に入賞した遊技球を集合させる入賞球集合流路に設けられて、該集合した遊技球を１個宛検出するセーフセンサと、
前記入賞センサによる遊技球の検出及び前記セーフセンサによる遊技球の検出の各々に応じて入賞価値の付与指令を送出する遊技制御手段と、
前記遊技制御手段からの付与指令に基づいて入賞価値を付与する制御を行う入賞価値付与手段と、
を備えた遊技機において、
前記遊技制御手段は、
前記入賞センサが遊技球を検出すると、先発の付与指令を前記入賞価値付与手段へ送信する先発付与指令送信手段と、
前記セーフセンサが遊技球を検出すると、前記先発の付与指令に対応する後発の付与指令を前記入賞価値付与手段へ送信する後発付与指令送信手段と、を備え、
前記先発の付与指令および前記後発の付与指令には、対応関係を示す情報および入賞価値を示す情報を含み、
前記入賞価値付与手段は、
受信した先発の付与指令を記憶可能な排出予定リストを備え、
先発の付与指令を受信した場合には、前記排出予定リストに追加記憶し、
後発の付与指令を受信した場合には、対応関係を示す情報が一致する先発の付与指令を前記排出予定リストから検索し、入賞価値を示す情報が一致していることにより入賞価値を付与するようにしたことを特徴とする遊技機。
【手続補正２】
【補正対象書類名】明細書
【補正対象項目名】００１６
【補正方法】変更
【補正の内容】
【００１６】
【課題を解決するための手段】
第１の発明は、遊技領域に配設された各入賞口毎に設けられて遊技球の入賞を検出する入賞センサと、前記各入賞口に入賞した遊技球を集合させる入賞球集合流路に設けられて、該集合した遊技球を１個宛検出するセーフセンサと、前記入賞センサによる遊技球の検出及び前記セーフセンサによる遊技球の検出の各々に応じて入賞価値の付与指令を送出する遊技制御手段と、前記遊技制御手段からの付与指令に基づいて入賞価値を付与する制御を行う入賞価値付与手段と、を備えた遊技機において、前記遊技制御手段は、前記入賞センサが遊技球を検出すると、先発の付与指令を前記入賞価値付与手段へ送信する先発付与指令送信手段と、前記セーフセンサが遊技球を検出すると、前記先発の付与指令に対応する後発の付与指令を前記入賞価値付与手段へ送信する後発付与指令送信手段と、を備え、前記先発の付与指令および前記後発の付与指令には、対応関係を示す情報および入賞価値を示す情報を含み、前記入賞価値付与手段は、受信した先発の付与指令を記憶可能な排出予定リストを備え、先発の付与指令を受信した場合には、前記排出予定リストに追加記憶し、後発の付与指令を受信した場合には、対応関係を示す情報が一致する先発の付与指令を前記排出予定リストから検索し、入賞価値を示す情報が一致していることにより入賞価値を付与するようにした。


【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
【発明の効果】
第１の発明によれば、入賞センサの検出に基づく先発の付与指令とセーフセンサの検出に基づく後発の付与指令とが遊技制御手段から入賞価値付与手段へ送信され、これらの対応関係を示す情報および入賞価値を示す情報が一致しているとき入賞価値が付与されるのであり、そのためノイズ等に対する指令データ転送の信頼性が高まり、遊技制御手段から入賞価値付与手段への単方向通信において、指令情報を確実に伝達でき、入賞に対する入賞価値の付与を正確に行える。また、遊技制御手段から入賞価値付与手段へ、先発、後発の付与指令のみを送信するので、通信線を簡素化でき、限られた通信線を有効に活用しつつ、限られた時間内に多くの指令を送信することができ、入賞価値の付与の高速化に対応できる。また、先発、後発の付与指令のみを送信する簡単な構成で、入賞センサに不正な電波信号等を与えて不正に入賞価値を獲得することを監視することができ、不正行為を防止できる。また、入賞センサが取り除かれたりすると、先発の付与指令が送信されず、異常を検出できる。


【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
図柄等を表示する表示装置と、遊技の制御を行う主制御基板と、その主制御基板から送信される制御用コマンドに基づいて前記表示装置により複数の図柄の変動表示を行わせる表示用制御基板とを備えた遊技機の制御装置において、
前記複数の図柄にはそれぞれ異なった図柄コードを付与すると共に、
その複数の図柄の変動表示の終了時に前記表示装置に停止表示される停止図柄の図柄コードを各停止図柄についてそれぞれ指定する停止図柄指定コマンドを前記制御用コマンドの一種として備えており、
停止図柄指定コマンドの一部にエラーが発生しても、変動表示を正常に終了させることを特徴とする遊技機の制御装置。
【手続補正書】
【提出日】平成15年12月22日(2003.12.22)
【手続補正１】
【補正対象書類名】明細書
【補正対象項目名】発明の名称
【補正方法】変更
【補正の内容】
【発明の名称】放電加工機および放電加工方法
【手続補正２】
【補正対象書類名】明細書
【補正対象項目名】特許請求の範囲
【補正方法】変更
【補正の内容】
【特許請求の範囲】
【請求項１】
被加工材を放電加工液中で保持する試料台と、
前記試料台を同一面上において互いに直交するＸ方向およびＹ方向の任意の位置に移動させるＸ方向移動ステージ部およびＹ方向移動ステージ部と、
前記Ｘ方向およびＹ方向に対し共に直交する加工方向に移動自在に設けられ、前記被加工材への近接によって前記被加工材との間に加工用の放電を発生させる工具電極と、
前記工具電極の前記被加工材に対する位置を検出する位置検出部と、
前記位置検出部からの検出位置データと加工データとに基づく演算を行って前記被加工材の前記Ｘ方向およびＹ方向への各移動位置を算出する演算回路と、
前記演算回路の演算結果の移動位置データに基づき前記Ｘ方向移動ステージ部およびＹ方向移動ステージ部をそれぞれ移動制御する駆動制御部とを備え、
前記被加工材を、前記工具電極の移動位置に対応して加工形状に基づくＸ方向およびＹ方向の任意の位置に連続的に移動制御するよう構成されていることを特徴とする放電加工機。
【請求項２】
工具電極と被加工材との間の放電発生を検出して放電検出信号を出力する放電検出部を有し、
位置検出部が、前記放電検出信号が入力された時点から前記工具電極の前記被加工材に対する位置の検出動作を開始して検出位置データを出力するとともに、演算回路が前記検出位置データの入力時点から演算動作を開始するよう構成されている請求項１に記載の放電加工機。
【請求項３】
Ｘ方向およびＹ方向に対し共に直交して移動自在に設けられた工具電極に対応させて、同一面上における互いに直交するＸ方向およびＹ方向の任意の位置に被加工材を保持する試料台を移動し、
前記被加工材に対する前記工具電極の現在位置を検出し、
前記工具電極の現在位置と、予め設定された加工データとに基づいて、被加工材の次の移動位置を算出し、
前記被加工材を算出した位置へ移動させ、
前記被加工材を前記工具電極の移動位置に対応させて加工形状に基づく任意の位置に連続的に移動させる放電加工方法。
【手続補正３】
【補正対象書類名】明細書
【補正対象項目名】０００１
【補正方法】変更
【補正の内容】
【０００１】
【発明の属する技術分野】
本発明は、工具電極と被加工材との間の微小な放電ギャップに発生する放電を利用して、主として微細穴や微細なスリットなどの微細加工に用いられる放電加工機および放電加工方法に関するものである。


【手続補正４】
【補正対象書類名】明細書
【補正対象項目名】００１１
【補正方法】変更
【補正の内容】
【００１１】
そこで、本発明は、上記従来の課題に鑑みてなされたものであって、工具電極の先端面とは異なる形状の加工を短時間で行うことができるとともに、良好な加工面を得ることのできる放電加工機および放電加工方法を提供することを目的としている。
【手続補正書】
【提出日】平成16年1月26日(2004.1.26)
【手続補正１】
【補正対象書類名】明細書
【補正対象項目名】００３３
【補正方法】変更
【補正の内容】
【００３３】
実施例３、４
比較例１において得られた３５％塩酸を、直径１６ｍｍ、高さ１９５ｍｍの円筒型容器内に第１表記載の合成樹脂吸着剤を充填した吸着塔に、ＳＶ１０／時で通液し、合成樹脂吸着剤による液相精製処理を行い、残留するアリールアルコール誘導体をほぼ完全に除去した。結果を第１表に示す。


【手続補正２】
【補正対象書類名】明細書
【補正対象項目名】００３４
【補正方法】変更
【補正の内容】
【００３４】
比較例２
実施例３において、合成樹脂吸着剤に代えて第１表に示す活性炭を使用した以外は、実施例３と全く同様に液相精製処理を行った。結果を第１表に示す。


【手続補正３】
【補正対象書類名】明細書
【補正対象項目名】００３５
【補正方法】変更
【補正の内容】
【００３５】
実施例５
実施例１において、合成樹脂吸着剤に代えて第１表に示す活性炭を使用した以外は、実施例１と同様に気相精製処理を行い３５％塩酸を得た。この塩酸を、さらに実施例４と全く同様に液相精製処理を行った。結果を第１表に示す。


【手続補正４】
【補正対象書類名】明細書
【補正対象項目名】００３６
【補正方法】変更
【補正の内容】
【００３６】
比較例３
実施例５において、液相精製処理も、合成樹脂吸着剤に代えて第１表に示す活性炭を使用した以外は、実施例５と同様の処理を行った。結果を第１表に示す。